(57)【要約】【課題】ベルトスラブを幅断ちした際に、切断面にコードが露出しない、エンドレスベルトの製造方法を提供すること。【解決手段】コード２を芯体としたエンドレスベルトＢのコード設置方法において、金型９上にコード２を螺旋状に連続的に巻き付ける工程と、ベルトスラブの幅断ち位置Ｐから離れた位置で隣り合うコード２，２相互を固定する工程と、幅断ち位置Ｐから前記コード２，２相互の固定位置までのコード２部分を切除する工程とを備えている。【選択図】図５
2008001056.tif 000002
【特許請求の範囲】
【請求項１】
コードを芯体としたエンドレスベルトのコード設置方法において、金型上にコードを螺旋状に連続的に巻き付ける工程と、ベルトスラブの幅断ち位置から離れた位置で隣り合うコード相互を固定する工程と、幅断ち位置から前記コード相互の固定位置までのコード部分を切除する工程とを備えたことを特徴とするエンドレスベルトの製造方法。
【請求項２】
コードを芯体としたエンドレスベルトのコード設置方法において、金型に被せた帆布上にコードを螺旋状に連続的に巻き付ける工程と、ベルトスラブの幅断ち位置から離れた位置で、隣り合うコード相互を固定するか又はコードを帆布に固定する工程と、幅断ち位置から前記固定位置までのコード部分を切除する工程とを備えたことを特徴とするエンドレスベルトの製造方法。
【請求項３】
幅断ち面からコードの最外位置までの距離は、両側でベルト幅の１０％以内であって、端面には芯線が露出していないことを特徴とする請求項１又は２記載のエンドレスベルトの製造方法。
【請求項４】
隣り合うコード相互を固定する手段は、粘着テープ、接着剤やホッチキスであることを特徴とする請求項1又は３記載のエンドレスベルトの製造方法。
【請求項５】
隣り合うコード相互又はコードを帆布に固定する手段は、粘着テープ、接着剤やホッチキスであることを特徴とする請求項２又は３記載のエンドレスベルトの製造方法。
【発明の詳細な説明】
【技術分野】
【０００１】
この発明は、エンドレスベルトの製造方法、特に、コードを芯体としたエンドレスベルトの製造方法に関するものである。
【背景技術】
【０００２】
従来、コードを芯体としたエンドレスベルト、例えば、歯付きベルトは以下のようにして製造されている。
【０００３】
先ず、ベルト歯形成溝を設けている円筒状のモールドに、筒状の歯布を被せ、その上にコードを巻き、更にその上にゴムシートを巻き付けて成形体を準備する。ここで、上記コードは連続的に巻き付けることから、螺旋状に巻き付けられる（例えば、特許文献１。）。
【０００４】
次に、この成形体を耐熱性のあるゴム筒を介して蒸気で加熱加圧し、加硫成形する。
【０００５】
そして、前記加硫成形されたベルトスラブを型抜きした後、所定の幅に幅断ちすると、歯付きベルトは完成する。
【０００６】
しかしながら、上記製造方法では、歯布上にコードを連続的に螺旋状に巻き付けるようにしているので、ベルトスラブを幅断ちした際に、ベルト側面（幅断ち面）からコードが露出する。そして、前記コードの露出が原因でベルト使用時において、ほつれが生じ、短期間でベルトが破壊に至るという問題がある。
【特許文献１】特開２００２−１６０３０４（従来の技術の欄）
【発明の開示】
【発明が解決しようとする課題】
【０００７】
そこで、この発明では、ベルトスラブを幅断ちした際に、切断面にコードが露出しない、エンドレスベルトの製造方法を提供することを課題とする。
【課題を解決するための手段】
【０００８】
（請求項１記載の発明）
この発明は、コードを芯体としたエンドレスベルトのコード設置方法において、金型上にコードを螺旋状に連続的に巻き付ける工程と、ベルトスラブの幅断ち位置から離れた位置で隣り合うコード相互を固定する工程と、幅断ち位置から前記コード相互の固定位置までのコード部分を切除する工程とを備えている。
【０００９】
（請求項２記載の発明）
この発明は、コードを芯体としたエンドレスベルトのコード設置方法において、金型に被せた帆布上にコードを螺旋状に連続的に巻き付ける工程と、ベルトスラブの幅断ち位置から離れた位置で、隣り合うコード相互を固定するか又はコードを帆布に固定する工程と、幅断ち位置から前記固定位置までのコード部分を切除する工程とを備えている。
【００１０】
（請求項３記載の発明）
この発明は、上記請求項１又は２記載の発明に関し、幅断ち面からコードの最外位置までの距離は、両側でベルト幅の１０％以内であって、端面には芯線が露出していないものとしている。
【００１１】
（請求項４記載の発明）
この発明は、上記請求項１又は３記載の発明に関し、隣り合うコード相互を固定する手段は、粘着テープ、接着剤やホッチキスである。
【００１２】
（請求項５記載の発明）
この発明は、上記請求項２又は３記載の発明に関し、隣り合うコード相互又はコードを帆布に固定する手段は、粘着テープ、接着剤やホッチキスである。
【発明の効果】
【００１３】
この発明のエンドレスベルトの製造方法では、ベルトスラブを幅断ちした際に、切断面にコードが露出しないので、ベルト使用時においてコードのほつれが生じることはなく、その結果、短期間でベルトが破壊に至るということはない。
【発明を実施するための最良の形態】
【００１４】
以下にこの発明のエンドレスベルトの製造方法を実施するための最良の形態として実施例について詳しく説明する。
【実施例１】
【００１５】
図１はこの発明の実施例１のエンドレスベルトＢの断面斜視図、図２は前記エンドレスベルトＢの製造方法の説明図、図３は帆布１上にコード２を螺旋状に連続的に巻き付けた状態の正面図、図４はベルトスラブＢＳの幅断ち位置Ｐから離れた位置で、隣り合うコード２，２相互を固定した状態の正面図、図５は幅断ち位置からコードの固定位置までに存在するコード部分を切除した状態の正面図、図６は金型９とバッグゴム８との間で帆布１、コード２、未加硫ゴムシート３を挟み込んだ状態を示す断面図、図７はベルトスラブＢＳの斜視図を示している。
【００１６】
（このエンドレスベルトＢについて）
このエンドレスベルトＢは、図１に示すように、片面に歯部を有する歯付きベルトであり、歯部３０から背面部３１までを構成する本体ゴム３’（後述する未加硫ゴムシート３を加硫成形して成る）と、前記本体ゴム３’内にベルト長手方向に延びる態様で埋設されたコード２、前記歯部３０を被覆する帆布１とから構成されている。
【００１７】
ここで、このエンドレスベルトＢでは、コード２は図１に示すように、ベルト幅方向中央部分は間隔を設けて等ピッチで配列されており、ベルト側面にはコード２は全く露出していない。
【００１８】
したがって、このエンドレスベルトＢでは、ベルト使用時においてコード２には、ほつれが生じることはなく、その結果、短期間でベルトが破壊に至るということはない。
【００１９】
なお、幅断ち面（ベルト側面）からコードの最外位置までの距離は、両側でベルト幅の１０％以内に設定しておくことが重要である。何故ならば、コード２が存在しない部分はゴムの収縮によりベルトが反り、歯荷重分担或いはスラストが変わることで耐久性が低下するからであり、また、ベルト強度が低下するからである。
【００２０】
したがって、幅断ち面（ベルト側面）からコード２の最外位置までの距離は、両側でベルト幅の５％程度であることが好ましい。
【００２１】
（このエンドレスベルトＢの製造方法について）
このエンドレスベルトＢは、以下の手順により製造されている。
【００２２】
(1) 工程１
金型９に 図２（Ａ）に示すように、周方向に伸縮性を有する円筒状の帆布1を外挿する。
ここで、金型９は、外周に一定角度間隔でベルト歯成形溝を設けてある。
【００２３】
(2) 工程２
帆布1の上からコード２を、図２（Ｂ）や図３に示すように螺旋状に連続的に巻き付けた後、図４に示す如く、ベルトスラブの幅断ち位置Ｐから離れた位置で、隣り合うコード２，２相互を固定（接着剤やホッチキス「登録商標」による）し、幅断ち位置Ｐから前記固定位置Ｎまでのコード２部分を切除（切って取り除く）する。これにより、コード２が存在していないベルトスラブＢＳの幅断ち領域を設ける。
【００２４】
なお、ベルトスラブの幅断ち位置Ｐから離れた位置で、コード２を帆布１に固定するようにし、幅断ち位置Ｐから前記固定位置Ｎまでのコード２部分を切除するようにしてもよい。
【００２５】
(3) 工程３
コード２の上から、図２の（Ｃ）や図６に示すように、未加硫ゴムシート３を巻きつける。
【００２６】
(4) 工程４
未加硫ゴムシート３の上から、図２の（Ｄ）に示すように、バッグゴム８を外挿する。      
【００２７】
(5) 工程５
工程４で構成したものを、図２の（Ｅ）に示すように、加硫缶７に投入して所定の温度・圧力・時間で加熱・加圧し、ベルトスラブＢＳを形成する。
【００２８】
(6) 工程６
ベルトスラブＢＳを金型９及びバッグゴム８から脱型する。図７にベルトスラブＢＳを示す。
【００２９】
(7)工程７
ベルトスラブＢＳを上記したカットラインで幅立ちする。
上記した工程１〜７により、このエンドレスベルトＢが製造できる。
【００３０】
（その他の形態について）
上記実施例１にかえて、金型上にコードを螺旋状に連続的に巻き付けるような場合、工程２の作業は、ベルトスラブの幅断ち位置Ｐから離れた位置で、隣り合うコード２，２相互を固定し、幅断ち位置Ｐから前記固定位置Ｎまでのコード２部分を切除する。
【００３１】
また、上記実施例１では、幅断ち面からコード２の最外位置までの距離は、両側でベルト幅の５％以内としているが、これに限定されることなく、両側でベルト幅の１０％以内であれば採用できる。
【００３２】
更に、上記実施例１は、エンドレスベルトＢとして、片面に歯部を有する歯付きベルトとしてあるが、これに限定されることはない。要するに、コード２が埋設されたベルトスラブＢＳを幅断ちして製造する形式のエンドレスベルトＢであれば、全てこの発明の構成を施すことができる。
【図面の簡単な説明】
【００３３】
【図１】この発明の実施例１のエンドレスベルトの断面斜視図。
【図２】前記エンドレスベルトの製造方法の説明図。
【図３】帆布上にコードを螺旋状に連続的に巻き付けた状態の正面図。
【図４】ベルトスラブの幅断ち位置から離れた位置で、隣り合うコード相互を固定した状態の正面図。
【図５】幅断ち位置からコードの固定位置までに存在するコード部分を切除した状態の正面図。
【図６】金型とバッグゴムとの間で帆布、コード、未加硫ゴムシートを挟み込んだ状態を示す断面図。
【図７】ベルトスラブの斜視図。
【符号の説明】
【００３４】
Ｂ      エンドレスベルト
ＢＳ    ベルトスラブ
Ｐ      幅断ち位置
ん      固定位置
１      帆布
２      コード
３’    本体ゴム
３      未加硫ゴムシート
３０    歯部
３１    背面部
７      加硫缶
８      バッグゴム
９      金型
【図１】
2008001056.tif 000003
【図２】
2008001056.tif 000004
【図３】
2008001056.tif 000005
【図４】
2008001056.tif 000006
【図５】
2008001056.tif 000007
【図６】
2008001056.tif 000008
【図７】
2008001056.tif 000009